(57)【要約】【課題】ケーブル本体のケーブル端部における光ファイバ心線への分岐部が保護された光ファイバケーブルを提供する。【解決手段】光ファイバケーブルＣは、ケーブル本体１０のケーブル端部で複数の光ファイバ心線３０が分岐して相互に独立して引き出されている。光ファイバ心線３０の分岐部を覆うように筒状のスリーブ１６が設けられている。【選択図】図４
2004294680.tif 000002
【特許請求の範囲】
【請求項１】
ケーブル本体のケーブル端部で複数の光ファイバ心線が分岐して相互に独立して引き出された光ファイバケーブルであって、
上記光ファイバ心線の分岐部を覆うように筒状のスリーブが設けられていることを特徴とする光ファイバケーブル。
【請求項２】
請求項１に記載された光ファイバケーブルにおいて、
上記スリーブ内には樹脂が充填されていることを特徴とする光ファイバケーブル。
【請求項３】
請求項１に記載された光ファイバケーブルにおいて、
上記スリーブは、その内側に突出して上記ケーブル本体に係合する係合手段が設けられていることを特徴とする光ファイバケーブル。
【請求項４】
請求項３に記載された光ファイバケーブルにおいて、
上記係合手段は、上記スリーブに設けられたネジ孔に螺合したネジにより構成されていることを特徴とする光ファイバケーブル。
【請求項５】
請求項３に記載された光ファイバケーブルにおいて、
上記係合手段が上記スリーブの周方向に４箇所以上設けられていることを特徴とする光ファイバケーブル。
【発明の詳細な説明】
【０００１】
【発明の属する技術分野】
本発明は、ケーブル本体のケーブル端部で複数の光ファイバ心線が分岐して相互に独立して引き出された光ファイバケーブルに関する。
【０００２】
【従来の技術】
これまでＣＡＴＶ（ｃｏｍｍｕｎｉｔｙ  ａｎｔｅｎｎａ  ｔｅｌｅｖｉｓｉｏｎ  ｓｙｓｔｅｍ）では、伝送ケーブルとして、幹線、分岐線、分配線、引込線及び屋内配線の全てで同軸ケーブルが主として用いられてきている。かかる同軸ケーブルは、ケーブル端部に装着されたＥＩＪＡ  ＲＣ−５２２２Ａ（日本電子機械工業会規格）のＣ１４形コネクタを介して取付側機器のコネクタ受けに取り付けられ、その取付側機器内部で分岐等がなされる。
【０００３】
ところが、近年、放送の多チャンネル化等が進んできていると共に、より高品質で多彩な映像サービスの提供が求められるため、同軸ケーブルに代わって幹線及び分岐線に光ファイバケーブルが使用されるようになってきている。
【０００４】
例えば、特許文献１には、光伝送機器の筐体に対して気密にして螺合接続される固定アダプタの内部において、光ファイバケーブルのテンションメンバを挟み込んで固定したケーブル固定金具を嵌合して固定保持する構造とし、また、ケーブル固定金具に形成した芯線孔を通して光ファイバケーブルの芯線のみを光伝送機器の筐体内に引き込む構成とし、さらに、本固定アダプタに光ファイバケーブルを導入する部分においてガスケットにより気密を図る構造とすることが開示されている。そして、これによれば、ＣＡＴＶ等の信号伝送路に配設される光伝送機器に対し光ファイバケーブルを引き込むために、光伝送機器の内部にケーブル固定金具を設ける必要なく、光ファイバケーブルを確実に固定し気密にして引き込むことができる、と記載されている。
【０００５】
【特許文献１】
特開平１０−５４９１２号公報
【０００６】
【発明が解決しようとする課題】
ところで、光ファイバケーブルは、複数の光ファイバ心線を有しており、ケーブル本体のケーブル端部においては、それらの光ファイバ心線が分岐して相互に独立して引き出され、それぞれが樹脂シースで被覆された単心コードとされている。そして、このような構成の光ファイバケーブルにおいては、光ファイバ心線への分岐部が最も強度的に低いものとなる。
【０００７】
本発明は、かかる点に鑑みてなされたものであり、その目的とするところは、ケーブル本体のケーブル端部における光ファイバ心線への分岐部が保護された光ファイバケーブルを提供することにある。
【０００８】
【課題を解決するための手段】
上記の目的を達成する本発明は、ケーブル本体のケーブル端部で複数の光ファイバ心線が分岐して相互に独立して引き出された光ファイバケーブルであって、
上記光ファイバ心線の分岐部を覆うように筒状のスリーブが設けられていることを特徴とする。
【０００９】
上記の構成によれば、最も強度的に低い光ファイバ心線の分岐部が筒状のスリーブで覆われているので、そのスリーブによって光ファイバ心線の分岐部が外界から保護されることとなる。
【００１０】
本発明は、上記スリーブ内には樹脂が充填されているものであってもよい。
【００１１】
上記の構成によれば、光ファイバ心線の分岐部の自由度が低くなるので、光ファイバ心線のスリーブ内における破損が抑止されることとなる。
【００１２】
本発明は、上記スリーブの内側に突出して上記ケーブル本体に係合する係合手段が設けられているものであってもよい。
【００１３】
接着剤によってケーブル本体をスリーブに固定したのでは、気温が低いために接着剤が収縮してスリーブからケーブル本体が抜けやすくなったり、気温が高いために接着剤が膨張して光ファイバ心線の伝送損失が高くなったりすることがある。しかしながら、上記の構成によれば、係合手段が機械的にケーブル本体に係合してスリーブのケーブル本体への固定がなされるので、かかるケーブル本体の抜けや伝送損失の上昇を回避することができる。
【００１４】
本発明は、上記係合手段が、上記スリーブに設けられたネジ孔に螺合したネジにより構成されたものであってもよい。
【００１５】
その場合、本発明は、上記係合手段が上記スリーブの周方向に４箇所以上設けられていることが望ましい。
【００１６】
【発明の実施の形態】
以下、本発明の実施形態を図面に基づいて詳細に説明する。
【００１７】
図１は、本発明の実施形態に係る光ファイバケーブルＣを示す。この光ファイバケーブルＣは、クロージャから引き出された分岐線を構成するものである。
【００１８】
この光ファイバケーブルＣは、ケーブル本体１０のケーブル端部にＥＩＪＡ  ＲＣ−５２２２Ａ（日本電子機械工業会規格）のＣ１４形コネクタ５０が装着された構成となっている。
【００１９】
図２は、ケーブル本体１０の横断面を示す。
【００２０】
このケーブル本体１０は、ケーブル中心に設けられた鋼線からなるテンションメンバ１１が樹脂製のスペーサ１２で被覆され、また、その外側が不織布からなる押さえ巻き１３で被覆され、さらに、その外側がラップシース１４で被覆された構成のものである。ラップシース１４は、可撓性の樹脂からなるシース本体１４ａの内周面にアルミニウムテープ１４ｂが貼着されたものである。押さえ巻き１３とラップシース１４との間には長さ方向に沿って引き裂き紐１５が設けられており、これを引っ張ってラップシース１４を縦裂きすることによりラップシース１４を所定長さだけ剥がすことができるようになっている。スペーサ１２の外周面には、長さ方向に沿って二重螺旋を構成するように一対の断面コの字状の心線収容溝１２ａが横断面においてテンションメンバ１１を挟むように形成されており、その一方の心線収容溝１２ａに４心の光ファイバテープ心線２０が収容されている。光ファイバテープ心線２０は、図３に示すように、並列に配列した４本の光ファイバ心線３０が紫外線硬化型樹脂等からなる被覆層２１で被覆されて一体化したものである。各光ファイバ心線３０は、石英製或いは樹脂製のコア３１ａ及びクラッド３１ｂからなる光ファイバ素線３１が紫外線硬化型樹脂等からなる被覆層３２で被覆されたものである。
【００２１】
図４は、ケーブル本体１０のケーブル端部の縦断面を示す。
【００２２】
ケーブル本体１０のケーブル端部では、スペーサ１２が突出した形態となるように引き裂き紐１５によってラップシース１４が所定長だけ剥がされており、そのスペーサ１２の端からさらに光ファイバテープ心線２０が突出して延びている。光ファイバテープ心線２０は４本の光ファイバ心線３０に分岐し、それぞれが相互に独立した単心コード４０となって延びている。また、スペーサ１２の端から単心コード４０の半分程度の長さのところまでテンションメンバ１１が突出して延びている。各単心コード４０は、図５に示すように、コード中心に設けられた光ファイバ心線３０がアラミド繊維等の高強度繊維からなる筒状の織物からなる繊維被覆層４１で被覆され、さらにその外側が塩化ビニル樹脂等の可撓性樹脂からなる樹脂シース４２で被覆されたものである。各単心コード４０のコード端部には単心用コネクタ４３が装着されている。
【００２３】
ケーブル本体１０のケーブル端部には、ラップシース１４の終点及び単心コード４０の始点、つまり、光ファイバテープ心線２０の光ファイバ心線３０への分岐部を収容するように円筒状のスリーブ１６が被せられている。ラップシース１４の終点近傍にはスリーブ１６の内径に略等しい外径となるようにシーリングテープ１７が巻き付けられており、その部分の約半分がスリーブ１６に嵌入されている。スリーブ１６には、図６に示すように、スリーブ１６に嵌入されたシーリングテープ１７の巻き付けられた部分に対応して周方向に４箇所等間隔にネジ孔１６ａが設けられており、それらのネジ孔１６ａにネジ（係合手段）１６ｂが螺合され、ケーブル本体１０がシーリングテープ１７を介してネジ先端によって係止され、それによってケーブル本体１０のスリーブ１６からの抜け防止が図られている。また、スリーブ１６の端部及びシーリングテープ１７のスリーブ１６に嵌入されていない部分を被覆してテーパ形状を形成するようにブチルゴムテープ等のゴムテープ１８が巻き付けられている。さらに、スリーブ１６全体及びゴムテープ１８を被覆するように塩化ビニルテープ等の樹脂テープ１９が巻き付けられている。また、スリーブ１６には、弾性エポキシ樹脂等からなる弾性樹脂が充填されている。以上のように、スリーブ１６内には光ファイバテープ心線２０が光ファイバ心線３０に分岐して単心コード４０とされた分岐部が収容され、しかもその部分が弾性樹脂で固められていることにより、強度の低い光ファイバ心線３０の露出及び変形が防止されている。
【００２４】
このＣ１４形コネクタ５０は、第１〜３部材５１，５２，５３が長さ方向に順に結合してなり、全体として横断面正六角形の外形を有すると共に円筒孔を有する筒状に形成された構成のものである。第１部材５１は、短尺に構成されており、両端のそれぞれの外側に雄ねじが形成されている。第２部材５２は、長尺に構成されており、一方の端の内側に第１部材５１の一方の雄ねじに螺合する雌ねじが形成され、他方の端の外側に雄ねじが形成されている。第３部材５３は、一方の端の内側に第２部材５２の雄ねじに螺合する雌ねじが形成され、他方の端にケーブル本体１０の外形に略等しいケーブル挿通孔５３ａが形成されている。第１及び第２部材５１，５２の雄ねじの基端側には合成ゴム製のＯリング５４が外嵌めされており、それによって螺合構造が構成されたときに封止効果が得られるようになっている。
【００２５】
このＣ１４形コネクタ５０をケーブル本体１０に装着する際には、まず、スリーブ１６等を固定する前に、ケーブル本体１０に第３部材５３、合成ゴム製の環状のガスケット５５及び金属リング５６を挿通する。
【００２６】
次いで、ケーブル本体１０にスリーブ１６等を固定した後、スリーブ１６に被せるように第２部材５２を設け、その雌ねじを第３部材５３の雄ねじを螺合させる。このとき、第２部材５２の端と第３部材５３との間にガスケット５５及び金属リング５６が挟まれることにより封止効果が得られる。
【００２７】
次いで、第１部材５１の一方の雄ねじを第２部材５２の雌ねじに螺合させる。
【００２８】
そして、光ファイバケーブルＣの取付側機器６０への取付は、図７に示すように、コネクタ受け６１に形成された雌ねじに第１部材５１の他方の雄ねじが螺合されることにより行われる。なお、第１部材５１とコネクタ受け６１との螺合トルク、第１部材５１と第２部材５２との螺合トルク、及び、第２部材５２と第３部材５３との螺合トルクの比は、好ましくは１０対５対１である。
【００２９】
以上の構成の光ファイバケーブルＣによれば、最も強度的に低い光ファイバ心線３０の分岐部が筒状のスリーブ１６で覆われているので、そのスリーブ１６によって光ファイバ心線３０の分岐部が外界から保護されることとなる。
【００３０】
また、スリーブ１６内に弾性樹脂が充填されていることから、光ファイバ心線３０の分岐部の自由度が低くなるので、光ファイバ心線３０のスリーブ１６内における破損が抑止されることとなる。
【００３１】
さらに、接着剤によってケーブル本体をスリーブに固定したのでは、気温が低いために接着剤が収縮してスリーブからケーブル本体が抜けやすくなったり、気温が高いために接着剤が膨張して光ファイバ心線の伝送損失が高くなったりすることがあるが、係合手段であるネジ１６ｂが機械的にケーブル本体１０に係合してスリーブ１６のケーブル本体１０への固定がなされているので、上記のようなケーブル本体１０の抜けや伝送損失の上昇が回避されることとなる。
【００３２】
ここで、係合手段であるネジの数とスリーブからケーブル本体を引き抜くのに要する力との関係を調べる試験を行った結果について説明する。
【００３３】
本実施形態と同様にネジがスリーブの周方向に等間隔で４箇所設けられた光ファイバケーブルでは、スリーブからケーブル本体を引き抜くのに２４５Ｎを要した。
【００３４】
ネジがスリーブの周方向に等間隔で３箇所設けられた光ファイバケーブルでは、スリーブからケーブル本体を引き抜くのに１９６Ｎを要した。
【００３５】
ネジが設けられていない光ファイバケーブルでは、スリーブからケーブル本体を引き抜くのに１２７Ｎを要した。
【００３６】
これらの結果より、ネジの数が多くなればスリーブからケーブル本体を引き抜くのに要する力も大きくなることが分かる。光ファイバケーブルの通常の使用条件を考慮すれば、十分な固定力を得るためには係合手段たるネジが４箇所以上設けられていることが好ましい。
【００３７】
なお、上記実施形態では、分岐線を構成する光ファイバケーブルＣとしたが、特にこれに限定されるものではなく、幹線、分配線、引込線及び屋内配線を構成するものであってもよい。
【００３８】
また、上記実施形態では、４心の光ファイバテープ心線２０を１つ有するものとしたが、特にこれに限定されるものではなく、さらに多心の光ファイバテープ心線であってもよく、光ファイバテープ心線を複数有するものであってもよい。
【００３９】
【発明の効果】
以上説明したように、本発明によれば、最も強度的に低い光ファイバ心線の分岐部が筒状のスリーブで覆われているので、そのスリーブによって光ファイバ心線の分岐部が外界から保護されることとなる。
【図面の簡単な説明】
【図１】本発明の実施形態に係る光ファイバケーブルの横断面図である。
【図２】ケーブル本体の横断面図である。
【図３】光ファイバテープ心線の横断面図である。
【図４】ケーブル本体のケーブル端部の縦断面図である。
【図５】単心コードの横断面図である。
【図６】スリーブによるケーブル本体の係止の説明図である。
【図７】光ファイバケーブルの取付構造を示す説明図である。
【符号の説明】
Ｃ  光ファイバケーブル
１０  ケーブル本体
１１  テンションメンバ
１２  スペーサ
１２ａ  心線収容溝
１３  押さえ巻き
１４  ラップシース
１４ａ  シース本体
１４ｂ  アルミニウムテープ
１５  引き裂き紐
１６  スリーブ
１６ａ  ネジ孔
１６ｂ  ネジ
１７  シーリングテープ
１８  ゴムテープ
１９  樹脂テープ
２０  光ファイバテープ心線
２１  被覆層
３０  光ファイバ心線
３１  光ファイバ素線
３１ａ  コア
３１ｂ  クラッド
３２  被覆層
４０  単心コード
４１  繊維被覆層
４２  樹脂シース
４３  単心用コネクタ
５０  Ｃ１４形コネクタ
５１  第１部材
５２  第２部材
５３  第３部材
５３ａ  ケーブル挿通孔
５４  Ｏリング
５５  ガスケット
５６  金属リング
６０  取付側機器
６１  コネクタ受け
【図１】
2004294680.tif 000003
【図２】
2004294680.tif 000004
【図３】
2004294680.tif 000005
【図４】
2004294680.tif 000006
【図５】
2004294680.tif 000007
【図６】
2004294680.tif 000008
【図７】
2004294680.tif 000009